(57)【要約】【課題】扇風機に使用される電動機において、延焼防止を目的とする。【解決手段】電動機１は、一対のモータケースとして構成されるカバー６とヨーク７の内部に回転子としてのシャフト２とロータ３、その回転子外周に固定された固定子としてのステータ４、ステータ４に巻かれた巻線５とを備え、一対のモータケースはそれぞれ周側面の接合面８から遠い側に切起こし１０により形成されたスリット９を有し、スリットを電動機の延焼範囲１１の外に形成、且つ風孔をシャフト２の軸外側に切起こす構成にした。【選択図】図１
2015186368.tif 000002
【特許請求の範囲】
【請求項１】
一対のモータケース内部に回転子と、その回転子外周に固定された固定子と、前記固定子のスロット部に巻かれた巻線とを備え、一対の前記モータケースはそれぞれ周側面の接合面から遠い側に切起こしにより形成されたスリットを有していることを特徴とする電動機。
【請求項２】
一対のモータケースのそれぞれのスリットの切起こしは外側に開口しており、且つ前記モータケースの接合面に対して非対称に形成されていることを特徴とする請求項１記載の電動機。
【発明の詳細な説明】
【技術分野】
【０００１】
本発明は、延焼防止に使用されるモータケースを用いた電動機に関するものである。
【背景技術】
【０００２】
従来、この種の電動機のモータケースは、風孔に切起こし構造を備えるものが知られている（例えば、特許文献１参照）。
【０００３】
以下、そのモータケースについて図５および図６を参照しながら説明する。
【０００４】
図５、６に示すように、モータケースは上部ヨーク１０１と下部カバー１０２からなり、上部風孔１０３と側面風孔１０４を備えることにより冷却風を下方、側面よりモータケース内に吸込み、上部風孔１０３から上方に抜く。また、上部風孔１０３の切起こし１０５はこの風孔を切起こし片で覆うことでモータケース外部に対して内部の炎を消炎できる構造としている。
【先行技術文献】
【特許文献】
【０００５】
【特許文献１】実開昭５９−９９６５４号公報
【発明の概要】
【発明が解決しようとする課題】
【０００６】
このような従来のモータケースにおいては、風孔が延焼範囲内にある構成となっていたので電動機が異常により発火した場合、モータケース内部の炎が上部風孔から外部に出て、周囲引火物に燃え移る恐れがあるという課題を有していた。
【０００７】
そこで本発明は、上記従来の課題を解決するものであり、電動機が異常により発火した場合でもモータケース内部の炎を外部に出さないようにしたモータケースを用いた電動機を提供することを目的とする。
【課題を解決するための手段】
【０００８】
そして、この目的を達成するために、本発明の電動機は、一対のモータケース内部に回転子と、その回転子外周に固定された固定子と、前記固定子のスロット部に巻かれた巻線とを備え、一対の前記モータケースはそれぞれ周側面の接合面から遠い側に切起こしにより形成されたスリットを有しているものであり、これにより所期の目的を達成するものである。
【発明の効果】
【０００９】
本発明によれば、一対のモータケース内部に回転子と、その回転子外周に固定された固定子と、前記固定子のスロット部に巻かれた巻線とを備え、一対の前記モータケースはそれぞれ周側面の接合面から遠い側に切起こしにより形成されたスリットを有していることにより、電動機が異常によって発火した場合でも、スリットを一対の前記モータケースの接合面から遠い側のそれぞれの周側面、すなわち延焼範囲外に設けたことにより、モータケース内部の炎が外部へ逃げるのを抑制するという効果を得ることができる。
【図面の簡単な説明】
【００１０】
【図１】本発明の実施の形態１の電動機内部の構成図
【図２】同モータケースの外形を示す構成図
【図３】同巻線の延焼範囲を示す図
【図４】同冷却風の風路を示す構成図
【図５】従来の電動機の構成を示す電動機正面図
【図６】同平面図
【発明を実施するための形態】
【００１１】
本発明の請求項１記載の電動機は、一対のモータケース内部に回転子と、その回転子外周に固定された固定子と、前記固定子のスロット部に巻かれた巻線とを備え、一対の前記モータケースはそれぞれ周側面の接合面から遠い側に切起こしにより形成されたスリットを有している。これにより、電動機の異常により発火した場合でも、電動機外部に出る炎を抑制するという効果を奏する。
【００１２】
また、風孔をモータケースの外側に切起こすという構成にしてもよい。これにより、電動機のシャフト軸方向の冷却風をモータケース内部に取り入れやすい機構となる。
【００１３】
また、それぞれの風孔を非対称に上下に形成することで、モータケース内部を効率的に冷却するという効果を奏する。
【００１４】
以下、本発明の実施の形態について図面を参照しながら説明する。
【００１５】
（実施の形態１）
図１に示すように、電動機１は、一対のモータケースとして構成されるカバー６とヨーク７の内部に回転子としてのシャフト２とロータ３、その回転子外周に固定された固定子としてのステータ４、ステータ４に巻かれた巻線５とを備えている。
【００１６】
一対のモータケースはそれぞれ周側面の接合面８から遠い側に切起こし１０により形成されたスリット９を風孔として有している。
【００１７】
図２に示すようにカバー６およびヨーク７にはスリット９が例えば３個ずつ設けられている。さらにカバー６のスリット９ａは上側、ヨーク７のスリット９ｂは下側に設けられ、電動機１の外側に切起こされている。
【００１８】
上記構成において、電動機１が異常により発火した場合から説明する。
【００１９】
電動機１の発火の原因は巻線５の過熱であり、図３に示すような延焼範囲１１となる。
【００２０】
本発明の第１の特徴は、スリット９を延焼範囲１１より外に形成していることにあり、これにより、カバー６およびヨーク７に設けたスリット９から炎が出ることはなく、外部の引火物への延焼は抑制される。
【００２１】
次に電動機１の、異常発火のない、通常運転の場合を説明する。
【００２２】
電動機１を例えば扇風機に使用した場合、図４に示すようにシャフト２の先端には羽根１４が取付けられており、電動機１の運転、すなわち回転により羽根１４も回転し、矢印方向の風が発生する。
【００２３】
また、電動機１の異常発火は巻線５の過熱により発生するため、従来から背景技術で説明した特許文献１のような風孔をカバー６とヨーク７に設け、カバー６とヨーク７内に冷却風を取り込み、巻線５を冷却している。
【００２４】
本発明の第２の特徴は、図３および図４に示すようなスリット９の構成により、効率的に巻線を冷却している点である。
【００２５】
すなわち、風上側のヨーク７のスリット９ｂは切起こし１０ｂにより風上側に開口し、風下側のカバー６のスリット９ａは切起こし１０ａにより風下側に開口することで、扇風機による風の流れを有効に活用して、冷却風１５を吸込み口１２から取り込み、排出口１３から排出する風路を設けることで巻線５を冷却している。
【００２６】
スリット９ａの切起こし１０ｂにより、外部から排出口１３への冷却風１５の進入を防ぎ、排出口１３から冷却風１５をスムーズに排出することができる。
【００２７】
また、それぞれのスリット９ａ、９ｂを上下非対称に形成させることにより、電動機１内部全体に冷却風１５を流すことができ、電動機１を効率的に冷却することができる。
【００２８】
このような構成によれば、スリット９ａ、９ｂを電動機１の外側に切起こして形成することにより、図４に示すようにシャフト２の軸方向の冷却風１５を電動機１内部に容易に取り入れ、対角に流すことで、電動機１内部を冷却することができる。
【００２９】
なお、本実施形態において、風孔としてスリットそれぞれ３つずつを設けたが、巻線の温度上昇に合わせてスリットの数、長さは自由に変更でき、また従来技術同様に複数の丸孔としても良い。
【産業上の利用可能性】
【００３０】
本発明にかかる電動機は、延焼防止且つシャフト軸方向の冷却風をモータケース内部に容易に取り入れることを可能とするものであるので、扇風機等に使用される電動機として有用である。
【符号の説明】
【００３１】
１  電動機
２  シャフト
３  ロータ
４  ステータ
５  巻線
６  カバー
７  ヨーク
８  接合面
９、９ａ、９ｂ  スリット
１０、１０ａ，１０ｂ  切起こし
１１  延焼範囲
１２  吸込み口
１３  排出口
１４  羽根
１５  冷却風
１０１  上部ヨーク
１０２  下部カバー
１０３  上部風孔
１０４  側面風孔
１０５  切起こし
【図１】
2015186368.tif 000003
【図２】
2015186368.tif 000004
【図３】
2015186368.tif 000005
【図４】
2015186368.tif 000006
【図５】
2015186368.tif 000007
【図６】
2015186368.tif 000008